(57)【特許請求の範囲】
【請求項１】
上部側で床材を支持する支柱と、この支柱を支持するとともに床スラブ面に接地されるクッション部材を有する床支持具を複数用いて部屋の中央側の床材を支持し、かつ、壁スラブ，間仕切り，敷居などの部屋を区画する区画部位に沿って部屋の隅部側に配置される床材における上記区画部位と対向する端部側を支持するために、上部に、上記区画部位に沿って位置される所定長さの長尺支持部材を有し、さらに、支柱を介して上記長尺支持部材を支持するとともに上記床スラブ面に接地されるクッション部材を有する床支持装置を複数用いて部屋の隅部側の床材における上記区画部位と対向する端部側を支持するようにした床構造であって、
上記床支持装置のクッション部材として、上記床支持具のクッション部材の硬度より大きくて、かつ、硬度９０°までの硬度のものを用い、上記床支持具のクッション部材が、下側を向くカップ状で床スラブに接地する下部クッション部材と下側を向くカップ状で下部クッション部材の上部を覆うように設けられた上部クッション部材とを備え、下部クッション部材の上部と上部クッション部材の下部開口とが互いに嵌合され、上部クッション部材のカップの内底面より下部開口の方向に突出するよう設けられた凸部の下端と下部クッション部材の上面とが互いに接触したことを特徴とする床構造。
【発明の詳細な説明】
【０００１】
【発明の属する技術分野】
この発明は、特に、部屋の隅部側に配置される床材の端部側を支持するための床支持装置、及び、部屋の中央側の床材を支持する床支持具を用いた床構造に関する。
【０００２】
【従来の技術】
従来、床構造は、図２１〜２３に示すように、部屋の中央側においては、各床材１５Ａ，・・・の下に所定の間隔で複数の床支持具１１を配置して各床材１５Ａ，・・・を支持するようにし、壁スラブ１，間仕切り４，敷居などの部屋を区画する区画部位の近傍に配置される複数の床材１５Ａ，・・・の支持においては、これら複数の床材１５Ａ，・・・における上記区画部位に対応する端部１５Ｅ側を、いわゆる際根太２と言われるもので支持するようにしていた。
すなわち、図２１（床構造側面図），図２２（床構造平面図）に示すように、部屋の隅部Ｃ側に配置される複数の床材１５Ａ，・・・の支持においては、部屋の隅部Ｃ側における床の沈み込みを防止するため、上記区画部位である壁スラブ１に当接するよう配置される各床材１５Ａ，・・・の端部１５Ｅ側全体を、壁スラブ１に釘などで固定された際根太２で支持するようにしていた。尚、３は側土台である。
また、図２３に示すように、間仕切り４の両側に沿って部屋の隅部Ｃ側に配置される複数の床材１５Ａ，・・・の支持においても同様に、これら各床材１５Ａ，・・・の端部１５Ｅ側全体を、間仕切り４に釘などで固定された際根太２で支持するようにしていた。尚、図２３において、５は間柱、６は間仕切り土台、７はボードであり、これらで間仕切り４が構成されている。
尚、上記床支持具１１の詳細は後述するが、例えば、上部側で床材１５Ａ，・・・を支持する支柱と、この支柱を支持するとともに床スラブ１０の床スラブ面１０ａに接地されるゴムのクッション部材を有するもの等が使用される。
【０００３】
【発明が解決しようとする課題】
しかしながら、上述した従来の床構造では、上記区画部位に対応する床材の端部側を、上述のような際根太で支持していたので、床材に衝撃が加わるとその振動が際根太を介して伝搬してしまい、伝搬する衝撃音のレベル（ｄＢ）が大きくなる。厳密には、周波数帯によって、レベルの変化は異なるが、ほぼ１ｋＨｚより低い周波数帯で衝撃音のレベル（ｄＢ）が大きくなる傾向がある。
すなわち、従来のように、際根太を使用する床構造では、床衝撃音のレベルを低減できず、防音性能が悪いという課題があった。
【０００４】
そこで、本出願人の出願による特願平１０−１９８６９４号では、際根太を用いないで、上記区画部位に対応する床材の端部側も上記床支持具で支持するようにして、防音性能を向上させるようにした技術を提案している。
上記特願平１０−１９８６９４号の技術では、防音性能は向上するが、部屋の隅部側には、タンスなどの重量物が置かれることが多く、床材の沈み込みが問題となり、部屋の中央側より、床支持力（床強度）を増強する必要があるため、上記区画部位に対応する床材の支持力を増強するために、上記区画部位に対応する床材の端部側を支持する床支持具の数を多くしている。
しかしながら、特願平１０−１９８６９４号では、上述のように、部屋の隅部側における床支持力を増強するために、多数の床支持具が必要になるため、コストがかかるという課題があった。
【０００５】
本願発明はかかる課題を解消するためになされたもので、コストを抑えることができる構成にて、部屋の隅部側における床支持力を増強できるとともに、防音性能を向上できる床構造を得ることを目的とする。
【０００６】
【課題を解決するための手段】
本願発明の床構造は、上部側で床材を支持する支柱と、この支柱を支持するとともに床スラブ面に接地されるクッション部材を有する床支持具を複数用いて部屋の中央側の床材を支持し、かつ、壁スラブ，間仕切り，敷居などの部屋を区画する区画部位に沿って部屋の隅部側に配置される床材における上記区画部位と対向する端部側を支持するために、上部に、上記区画部位に沿って位置される所定長さの長尺支持部材を有し、さらに、支柱を介して上記長尺支持部材を支持するとともに上記床スラブ面に接地されるクッション部材を有する床支持装置を複数用いて部屋の隅部側の床材における上記区画部位と対向する端部側を支持するようにした床構造であって、上記床支持装置のクッション部材として、上記床支持具のクッション部材の硬度より大きくて、かつ、硬度９０°までの硬度のものを用い、上記床支持具のクッション部材が、下側を向くカップ状で床スラブに接地する下部クッション部材と下側を向くカップ状で下部クッション部材の上部を覆うように設けられた上部クッション部材とを備え、下部クッション部材の上部と上部クッション部材の下部開口とが互いに嵌合され、上部クッション部材のカップの内底面より下部開口の方向に突出するよう設けられた凸部の下端と下部クッション部材の上面とが互いに接触したことを特徴とする。
【０００７】
【発明の実施の形態】
・実施の形態１
以下、図１ないし図１３に基づいて実施の形態１を説明する。尚、図２１〜図２３の従来技術で説明した構成部分と同一部分は同一符号を付している。
各図において、１１は従来技術で説明した床支持具である。この床支持具１１は、基本的には、上部側で床材１５Ａ，・・・を支持する支柱と、この支柱を支持するとともに床スラブ面に接地されるクッション部材を有するものである。尚、この床支持具１１の具体例及び床材１５Ａの構成は後に詳述する。
【０００８】
８は、本願発明による床支持装置としてのシステムネダ（根太）であり、これは、壁スラブ，間仕切り，敷居などの部屋を区画する区画部位に沿って部屋の隅部Ｃ側に配置される床材１５Ａ，・・・における上記区画部位と対向する端部１５Ｅ側を支持するために、図４，図５に示すように、上部に、上記区画部位に沿って位置される所定長さの長尺支持部材としての根太材８ａを有し、さらに、支柱２０を介して上記根太材８ａを支持するとともに床スラブ面１０ａに接地されるクッション部材９を有するものである。このクッション部材９は、床スラブ面１０ａに接地するほぼ逆台錐形のゴムより成り、下面のほぼ全体が床スラブ面１０ａに接地するタイプのものである。
また、システムネダ８は、図５のように、根太材８の両端側を、支柱２０とクッション部材９とを備えて成る支持具８Ａ，８Ａで支持して成るものである。
上記支柱２０のフランジ２２が設けられた部分よりも上側の外周はねじ切りされてボルト２０ａとなっており、このボルト２０ａは上記根太材８ａの上下貫通穴８ｓに取り付けられたナット２３に螺入して取付けられる。ボルト２０ａを回動することによりボルト２０ａのナット２３に対する上，下の位置関係を調整することができ、これにより根太材８ａの高さの調整が行える。床材１５Ａは、パーティクルボード等の基材１４とフローリング等の床板１５とで構成され、上記ボルト２０ａの上方に対応する基材１４には穴１４ｓが形成されていて、根太材８ａが低く設定されるとき上記穴１４ｓ内にボルト２０ａの上端が入り込めるようになっている。
また、根太材８ａは木質系の材料で構成され、床材１５Ａの端部１５Ｅ側がこの根太材８ａの上面に釘などで取り付けられる。
尚、図４におけるシステムネダ８の各構成部分のうち、特に説明しなかった部分については、図１０で後述する床支持具１１の構成と同じであるので、同一符号を付して、その説明を省略した。
【０００９】
そして、本願発明の床構造は、部屋の中央側の床材１５Ａを複数の上記床支持具１１で支持するとともに、部屋の隅部Ｃ側の床材１５Ａにおける上記区画部位と対向する端部１５Ｅ側を、従来の際根太の代わりに、複数の上記システムネダ８で支持するようにしたものである。
【００１０】
上記システムネダ８のクッション部材９を構成するゴムの硬度（例えばＪＩＳ規格の「ＪＩＳ  Ｋ  ６３０１のゴム硬度測定方法」による硬度）は、上記床支持具１１のクッション部材の硬度より大きくて、かつ硬度９０°までの硬度のものを用いる。好ましくは、硬度７５°のものを用いる。
【００１１】
具体的に説明すると、図1ないし図３は、壁スラブ１で区画される部屋の床構造の一例を示しており、壁スラブ１に沿って、システムネダ８を複数個配置して、部屋の隅部Ｃ側に配置される床材１５Ａにおける壁スラブ１と対向する端部１５Ｅを支持するようにし、部屋の中央側の床材１５Ａを複数の床支持具１１で支持するようにしている。
【００１２】
尚、上記各システムネダ８，・・・は、上記区画部位である壁スラブ１より間隔Ｓ１離して設置し（図３，４参照）、さらに、それぞれの根太材８ａ，・・・が間隔Ｓ２離間するように配置する（図１参照）。
また、壁スラブ１と，この壁スラブ１に沿って部屋の隅部Ｃ側に配置される複数の上記床材１５Ａ，・・・の端部１５Ｅとの間に、隙間Ｓ３を設けるようにしている（図１，３，４参照）。
【００１３】
尚、床下空間に、吸音材などを挿入してもよい。
また、床の位置ずれを抑えるために、上記隙間Ｓ３に、数箇所、スポンジ等の緩衝材を介挿するようにすればよい。
また、部屋の隅部Ｃ側の隙間Ｓ３は、防音性能に影響を与えることはないように、振動吸収性のよい材料で防振対策が施された巾木で覆ったり、あるいは、木質の巾木を用いる場合は、床材１５Ａの上表面から多少離して取り付けるようにすればよい。
【００１４】
図６ないし図９は、間仕切り，敷居などの区画部位で区画される部屋において適用される本発明による床構造の一例を示す。
【００１５】
つまり、本発明は、図1ないし図３で説明した壁スラブ１で区画される部屋と同じように、図６に示すような、間仕切り４で区画される部屋の床構造についても適用できる。この場合、間仕切り４の両側に沿って配置される複数の床材１５Ａ，・・・において、間仕切り４側の端部１５Ｅを上述したように複数のシステムネダ８，・・・で支持する。
尚、図示しないが、別途、間仕切りを構築しておき、この間仕切りを、床支持具で支持するようにしてもよい（尚、この場合の床支持具としては、強度が要求されるため、剛性の高いものを用いる必要がある）。これは、床を先行して施工した後に、この床間に設置されるタイプの間仕切りである。この場合、間仕切りと床スラブが床支持具を介して分離されるので、間仕切りに対する衝撃が土台を介して伝搬する可能性も少ないので（床衝撃音を伝搬する可能性のある媒介物が少ないので）、防音性能効果の高い床構造が得られると思われる。
【００１６】
図７は敷居の部分に本願の床構造を適用した例を示す。
図８はフローリング床（１５Ａ）の部屋（例えばＬＤ）とカーペット敷床１５Ｂの部屋との境界部分に本願の床構造を適用した例を示す。
図９はフローリング床（１５Ａ）の部屋（例えばＬＤ）と塩ビシート敷床１５Ｃの部屋（例えばキッチン）との境界部分に本願の床構造を適用した例を示す。
尚、これらは、基本的には、図１〜図６で示した特徴を上述した部分に適用しただけであるので、詳説は省略する。尚、３０は敷居、３０Ｂは土台、３１は畳、３２は敷板、３３はカーペット、３４はフェルト、３５は捨張、３６は塩ビシート、４０は下わく、４０Ｂは土台である。
【００１７】
以下、本願の床構造に使用する床支持具１１の具体例を詳細に説明する。
【００１８】
・床支持具１１の具体例１．
図１０，１１は本発明に使用する床支持具１１の具体例１を示す図であり、これは、コンクリートを打設することにより得られる床スラブ１０の床スラブ面１０ａの上に位置され、この床支持具１１の上部に取付けられた台座１２には釘１３等を用いてパーティクルボード等の木材から成る長辺形状の基材１４が取付けられ、この基材１４の上にフローリング等の床板１５が釘１６等の手段で固定されている。
尚、基板１４と床板１５とにより、上述してきた床材１５Ａ，・・・を構成するものである。
上記床支持具１１はほぼ逆台錐形のクッション部材１７と、このクッション部材１７の上面の平坦部に設置された座板１８と、この座板１８の中心に設けられた孔を介して上記クッション部材１７の上面に形成された穴１９に下端が嵌入される支柱２０から構成される。
上記クッション部材１７の下部１７ｍは円板状となり、その下面側に接地部２１が設けられている。この接地部２１は下部１７ｍの底面より下部方向に突出する柱部２１ｔの下端が半球状の丸みを有する凸部より成るもので互いに独立しており、その高さはほぼ６ｍｍ程度でこの接地部２１がスラブ面１０ａに接地するポイント、すなわち接地ポイントＰは支柱２０に形成されたフランジ２２の外周に対応するポイントＰ１よりもＬだけ水平外方向に位置ずれされている。すなわちクッション部材１７の上面は上記フランジ２２に対応する図示Ｓの部分で支柱２０に伝わる圧力を受ける。つまり上記フランジ２２に対応する部分Ｓに対応するクッション部材１７の上面が支柱２０の支承部となり、接地ポイントＰは、この支承部に対応するＳの部分の外側のポイントＰ１よりもさらに外側に位置するように設けられる。なお、柱部２１ｔの下端は、半球状に限らず、半円状すなわちかまぼこ状であってもよい。
上記支柱２０の穴１９に嵌入される部分は、穴１９の径よりも若干大きく設定されており、この部分は穴１９に圧入状態で差込まれる。支柱２０の上記フランジ２２が設けられた部分よりも上側の外周はねじ切りされてボルト２０ａを構成し、このボルト２０ａは上記台座１２に設けられたナット２３の中に螺入して取付けられる。ボルト２０ａを回動することによりボルト２０ａのナット２３に対する上，下の位置関係を調整することができ、これにより台座１２の高さの調整が行える。なお、上記ナット２３は筒状となり、上部がカップ状に広がり、下部にフランジ２３ａを有している。このナット２３の内面はねじ切りされ、また、その下部のフランジ２３ａは内側に折返されて補強されている。このようなナット２３は予め上記台座１２に一体化されている。
上記ボルト２０ａによって支持される台座１２は、例えばパーティクルボード等の木材から構成される。このような台座１２を取付けた床支持具１１を床スラブ面１０ａの所定の個所に設置した後に上記基材１４を設置して釘１３等で取付けた後、この基材１４の上に床板１５を釘１６等で取付ける。なお、床板１５は複数の床板片１５ａ，１５ｂを継ぎ目部１５ｃで継ぎ合わせて構成される。すなわち、床板片１５ａを釘１６を用いて基材１４に取付けた後、床板片１５ａの凸部１５ｄに噛み合うように他の床板片１５ｂを取付けて、図示しない釘でこの床板片１５ｂを固定する。
以上の構成において床材１５Ａ，・・・に振動が加わった場合、この振動は基材１４から台座１２を経てナット２３からフランジ２２に伝わり、領域Ｓに対応する支承部を介して接地部２１の接地ポイントＰからスラブ面１０ａに伝わることになる。
この場合、接地ポイントＰが支承部の外側のポイントＰ１よりもＬだけ位置ずれされているので、クッション材１７の上記支承部に伝わる圧力によってクッション材１７は図１１（ｂ）のｔ１に示すように上，下に伸縮して振動を吸収するのであるが、クッション部材１７には接地ポイントＰが水平外方向に位置ずれされていることからｔ２に示すようにクッション部材１７にはたわみが生じるので、この傾斜方向のたわみによっても振動を良好に吸収することができ、防音効果が向上することになる。
【００１９】
・床支持装置１１の具体例２．
図１２は本発明に使用する床支持具１１の具体例２を示す図であり、具体例１と同じものは同一符号を用いている。この場合、クッション材１７の下部に設けられる接地部２８はリング状となり、この接地部２８の下面は平坦状となっているが、この場合にもフランジ２２を支持する領域Ｓの支承部の外側のポイントＰ１よりも接地ポイントＰが水平外方向に位置ずれされており、これにより領域Ｓの部分に荷重が加わった場合、この荷重に基づきクッション部材１７に傾斜方向のたわみｔ２が生じるので振動を良好に吸収することができ防音効果を発揮する。
【００２０】
・床支持装置１１の具体例３．
図１３は本発明に使用する床支持具の具体例３を示す図であり、同図において具体例１と同じものは同一符号を用いている。図１３においてクッション部材１７は下側を向くカップ状の下部クッション部材１７ｂと、この下部クッション部材１７ｂの上部が下部開口１７ｃに嵌合して一体化された上部クッション部材１７ａから構成される。下部クッション部材１７ｂの接地部１７ｘはリング状となり、その下面は平坦となっており、その上面の中央に支柱２０の下端を嵌入するための穴１９ａが設けられる。上部クッション部材１７ａにおける下面には下部方向に突出する柱部の下端を半円状又は半球状とした凸部１７ｎが設けられ、この凸部１７ｎの下端は下部クッション部材１７ｂの上面に突出している。この場合においても下部クッション部材１７ｂの接地ポイントは領域Ｓに対応する支承部よりも水平外方向に位置ずれされているのでクッション部材１７ｂ及びクッション部材１７ａのたわみに基づいて振動を良好に吸収できるとともに、２個のクッション部材１７ａ，１７ｂに基づいて振動を吸収することができるので防音効果をより一層向上することが可能となる。なお、支柱２０の下端を取付けるにはクッション部材１７ａの穴１９ｂを介して穴１９ａに支柱の下端を嵌入することにより取付けることが可能となる。なお、この場合、下部クッション部材１７ｂの上面と凸部１７ｎとの間に、ゴムと異質の部材を介在させて、下部クッション部材１７ｂの上面全体にほぼ均一に圧力が加わるようにして振動を吸収するようにしてもよい。
【００２１】
【実施例】
以下、本願の効果を実証した実験結果を述べる。
図１４は、本実験に使用した床衝撃音レベル測定システムを示す。尚、測定は、ＪＩＳ−Ａ−１４１８による方法で行った。Ｈは重量床衝撃音レベル測定のための衝撃音発生源としてのバングマシーン（タイヤによる打撃装置）、Ｔは軽量床衝撃音レベル測定のための衝撃音発生源としてのタッピングマシーン、Ｄは階下の部屋において床衝撃音レベルを測定する測定器、Ｐはデータを処理するコンピュータ、Ｒはレコーダである。
本測定においては、中央側の床材１５Ａ，・・・の支持は、図１５，１６に示すものを、部屋の隅部Ｃ側の床材１５Ａ，・・・における区画部位と対向する端部１５Ｅの支持は、図１７，１８に示すものを用いた。
【００２２】
図１９に、測定結果を示す。図２０は、図１９の重量床衝撃音レベル測定結果の番号７の条件の場合のデータグラフである。等級（建築学会の基準による）は防音性能を示すもので、Ｌ値が４５までは特級、５０は1級、５５は2級、６０は３級、７５になると等級外である。Ｌ−６５〜Ｌ−３５はＬ値曲線であり、Ｌ値は小さいほど防音性能が良いことを示す。このＬ値曲線は、低周波数帯と高周波数帯での聴感上の違いを補正するための曲線であり、低周波数帯では聴感が鈍いために性能判断基準が緩くなるように、周波数帯が高くなるに従って聴感が鋭くなるために性能判断基準が厳しくなるように設定されている性能判断基準である。即ち、同じぐらいのレベルが測定されても、性能を決める基準は、低周波数帯よりも高周波数帯のほうに厳しい性能を要求している。尚、図１９の表のＬ値は、データのＬ数に一番近いＬ値を採用しており、これにより、等級が決まる。また、空気層の密閉とは、隙間をテープ等で塞いで測定したものである。
【００２３】
図１９の結果を詳細に説明する。
番号１，２は、床材１５Ａ，・・・をすべて図１５に示す支持具１１（上述した具体例１のもの）で支持した場合の結果を示している。この場合、Ｌ値は良く、防音性能は良いが、部屋の隅部Ｃ側の床材１５Ａ，・・・の端部１５Ｅ側の床支持力を担保するために、多数の床支持具１１が必要になり、コストがかかる。
番号３，４は、部屋の隅部Ｃ側の床材１５Ａ，・・・の端部１５Ｅ側を、図１８に示す支持具１１（クッション部材の形状がシステムネダ８のクッション部材９と同じもの）を用いて支持した場合の結果を示している。この場合、番号１，２と同じように、多数の床支持具１１が必要になり、コストがかかる。さらに、番号３のように、クッション部材としてゴム硬度８０°のものを使用した場合は、Ｌ値が悪く、等級は３級である。
【００２４】
番号５から番号１０までは、部屋の隅部Ｃ側の床材１５Ａ，・・・の端部１５Ｅを、図１７に示すシステムネダ８（図４，５で示したもの）を用いて支持した場合の結果を示している。即ち、基本的には、本願の実施の形態１で説明した床構造における結果を示している。
番号５から番号８までは、中央側の床材１５Ａ，・・・を図１５に示す床支持具１１で支持した場合、番号９，１０は、中央側の床材１５Ａ，・・・を図１６に示す床支持具１１（上述した具体例３のもの）で支持した場合である。
尚、図１９の表において、ＳＮＧ，ＹＳとは、クッション部材の材質、ここでは、ゴムの硬度の違いによりつけられた名称である。つまり、本実験では、硬度が７５°，８０°の場合はＹＳ、９０°の場合はＳＮＧとして区別した。
この番号５から番号１０までは、部屋の隅部Ｃ側の床材１５Ａ，・・・の端部１５Ｅを、長尺な根太材８ａを有するシステムネダ８で支持するので、隅部Ｃ側の床材１５Ａ，・・・の端部１５Ｅにおける床支持力（床強度）を担保できる。
さらに、図１９の結果から、硬度７５°のゴム硬度のクッション部材を備えるものを使用した場合、Ｌ値が一番良い（防音性能が一番良い）ことがわかる。
【００２５】
尚、番号９，１０は、部屋の中央側の床材１５Ａ，・・・を支持する床支持具１１として上述した具体例３のものを用いた場合のデータである。この場合、番号５から番号８までのものに比べてさらに良い防音性能が得られる。システムネダ８のクッション部材９の硬度が８０°の場合は、Ｌ数＝５４、Ｌ値＝５５、等級＝２級である。また、硬度９０°の場合は、Ｌ数＝５７、Ｌ値＝５５、等級＝２級である。よって、部屋の中央側の床材１５Ａ，・・・を支持する床支持具１１として上述した具体例３のもの（二重構造のもの）を用いた場合、システムネダ８のクッション部材９の硬度が９０°でも２級の防音性能が得られる。
【００２６】
また、番号１１，１２は、ＬＤ（リビングダイニング）で測定した場合のデータである。すなわち、広い部屋で測定したデータである。番号１２と番号６とを比較すれば明らかなように、番号１２の方がＬ数が低い。従って、本願の床構造は、広い部屋に適用したほうが多少防音性能が良いことがわかる。
【００２７】
以上から次のようなことがわかる。
部屋の中央側の床材１５Ａを支持する床支持具１１のクッション部材として、クッション性能を考慮してゴム硬度が硬度６７°のもの（柔らかめのもの）を用い、部屋の隅部Ｃ側の床材１５Ａの端部１５Ｅを支持するシステムネダ８のクッション部材９として、上記床支持具のクッション部材の硬度６７°より大きくて（硬くて）、硬度９０°までのゴム硬度のものを用いれば、少なくとも３級の防音性能が得られる（尚、部屋の中央側の床材１５Ａを支持する床支持具１１として上述した具体例２のもの（二重構造のもの）を用いれば、少なくとも２級の防音性能が得られる）。
尚、床支持具１１のクッション部材の硬度は一般的には６７°ぐらいであるが、多少前後してもよい。但し、システムネダ８のクッション部材９として、上記床支持具１１のクッション部材の硬度より柔らかいものを用いれば、システムネダ８が揺れやすくなり、部屋の中央側の床材１５Ａを介して伝播する振動が伝わりやすくなるので、防音性能が悪くなる（但し、システムネダ８のクッション部材９として、上記床支持具１１のクッション部材の硬度より極端に柔らかいものを用いれば、防音性能は悪くならないが、この場合、部屋の隅部側における床支持力が弱くなり、床材の沈み込みが問題となるので、本願の所期の目的を達成できず、そもそも実用に向かない）。
よって、床支持具１１のクッション部材の硬度を多少前後させたとしても、部屋の隅部Ｃ側の床材１５Ａの端部１５Ｅを支持するシステムネダ８のクッション部材９として、床支持具１１のクッション部材の硬度より大きくて（硬くて）、硬度９０°までの硬度のものを用いれば、部屋の中央側の床材１５Ａを介して伝播する振動が伝わりにくく、図１９で示した結果と同様な防音性能が得られると推測できる。
【００２８】
尚、軽量床衝撃音に対する防音性能は、図１９の軽量床衝撃音レベル測定結果から明らかなように、部屋の中央側の床材１５Ａを支持する床支持具１１のクッション部材として、クッション性能を考慮してゴム硬度が柔らかめの硬度６７°のものを用い、システムネダ８のクッション部材として、上記床支持具のクッション部材の硬度６７°より大きくて（硬くて）、硬度９０°までの硬度のものを用いた場合、少なくとも１級の防音性能が得られる（尚、床支持具として上述した具体例３のもの（二重構造のもの）を用いれば、少なくとも特級の防音性能が得られる。）。
尚、部屋の隅部Ｃ側の床材１５Ａの端部１５Ｅを支持するシステムネダ８のクッション部材９として、上記床支持具１１のクッション部材の硬度より大きくて、硬度９０°までの硬度のものを用いれば、上述した理由により、図１９の結果と同様な防音性能が得られると推測できる。
【００２９】
本願の実施の形態１によれば、システムネダ８の長尺な根太材８ａで部屋の隅部Ｃ側の床材１５Ａ，・・・の端部１５Ｅ側を支持するので、部屋の隅部Ｃ側においては、床支持力が大きくなり、床の沈み込みを少なくできる。そして、この場合、少数のシステムネダ８を配置するだけでよいので、コストを抑えることができる構成にて、床支持力（床強度）を大きくできることになる。
更に、上述した実施例から裏付けされるように、部屋の隅部Ｃ側の床材１５Ａの端部１５Ｅを支持するシステムネダ８のクッション部材９として、部屋の中央側の床材１５Ａを支持する床支持具１１のクッション部材の硬度より大きくて、硬度９０°までの硬度のものを用いるものとして、上記区画部位（壁スラブ１など）よりシステムネダ８をＳ１離して設置するとともに、それぞれの根太材８ａが離間（Ｓ２）するように複数のシステムネダ８を配置し、さらに、上記区画部位と，この区画部位に沿って部屋の隅部Ｃ側に配置される複数の上記床材１５Ａの端部１５Ｅとの間に、隙間Ｓ３を設けたことにより、従来のいわゆる際根太を用いた構造の場合に比べて、防音性能が良くなる。図１９の「支持脚」「ゴム硬度」を同じ条件として「端部」に「際根太」を用いた場合を実験した結果、図１９の結果より「等級」がワンランク低下した。例えば、番号５の場合で「端部」に「際根太」を用いた場合の重量床衝撃音レベルを測定した結果、「等級」は３級より悪くなった。
従って、コストを抑えることができる構成にて、部屋の隅部側における床支持力を増強できるとともに、防音性能も良い床構造が得られる。
【００３０】
また、図１９の結果から明らかなように、システムネダ８のクッション部材９として、硬度７５°のものを用いた場合、最も良い防音性能が得られる。
また、上記床支持具１１として、具体例１に示したように、上面に、支柱の下部を支持する支承部を有するとともに、底部の外周側に、床スラブ面に接地する接地部を有し、この接地部の接地ポイントを、上記支承部の位置より外側に位置させて成る床支持具１１を用いることにより、良好な結果が得られることがわかった。尚、図１９の結果は、上述した床支持具１１の具体例１を用いた結果であるが、床支持具１１の具体例２は具体例１とほぼ同様な構成であり、従って、具体例２の床支持具１１を用いてもほぼ同様な結果が得られると予想できる。
さらに、クッション部材として、下側を向くカップ状で床スラブに接地する下部クッション部材と、この下部クッション部材の上部が下部開口に嵌合して一体化された上部クッション部材とから構成される二重構造のクッション部材を有する床支持具１１（具体例３のもの）を用いた場合は、具体例１や具体例２の床支持具１１を用いた場合よりも更に良好な結果が得られることがわかった。
【００３１】
尚、上述した実施の形態１では、システムネダ８は、クッション部材９と支柱２０を有する支持具８Ａを２個で、根太材８ａの両端側を支持したものを示したが、根太材８ａを１個の支持具８Ａで支持したもの、３個以上の支持具８Ａで支持したものなどを用いてもよい。
【００３２】
また、システムネダ８のクッション部材として、上述した床支持具１１の具体例１，２，３のようなクッション部材を用いるようにしてもよい。
【００３３】
尚、クッション部材としては、上述したゴムと同様な性能のプラスチック材料、例えば、熱可塑性エラストマーなどを用いてもよい。
【００３４】
【発明の効果】
請求項１に係る発明によれば、床支持装置のクッション部材の硬度を、床支持具のクッション部材の硬度より大きくて、かつ、硬度９０°までの硬度のものを用い、床支持具のクッション部材が、下側を向くカップ状で床スラブに接地する下部クッション部材と下側を向くカップ状で下部クッション部材の上部を覆うように設けられた上部クッション部材とを備え、下部クッション部材の上部と上部クッション部材の下部開口とが互いに嵌合され、上部クッション部材のカップの内底面より下部開口の方向に突出するよう設けられた凸部の下端と下部クッション部材の上面とが互いに接触した構成としたので、コストを抑えることができる構成にて、部屋の隅部側における床支持力の増強と、防音性能の向上を可能とする床構造が得られる。
【図面の簡単な説明】
【図１】  この発明の実施の形態１による床構造の平面図である。
【図２】  この発明の実施の形態１による床構造の側面図である。
【図３】  この発明の実施の形態１による床構造の詳細を示す拡大側面図である。
【図４】  この発明の実施の形態１による床構造に用いるシステムネダを説明するための部分断面図である。
【図５】  この発明の実施の形態１による床構造に用いるシステムネダの側面図である。
【図６】  この発明の実施の形態１による床構造を間仕切りの部分に適用した場合を示す側面図である。
【図７】  この発明の実施の形態１による床構造を敷居の部分に適用した場合を示す側面図である。
【図８】  この発明の実施の形態１による床構造の他の適用例を示す側面図である。
【図９】  この発明の実施の形態１による床構造の他の適用例を示す側面図である。
【図１０】  この発明に使用する床支持具の具体例１を説明するための床支持具の部分断面図である。
【図１１】  この発明に使用する床支持具の具体例１を説明するためのクッション部材の平面図，断面図，底面図である。
【図１２】  この発明に使用する床支持具の具体例２を説明するためのクッション部材の平面図，断面図，底面図である。
【図１３】  この発明に使用する床支持具の具体例３を説明するためのクッション部材の平面図，断面図，底面図である。
【図１４】  実施例のデータを得るために用いた床衝撃音測定システムの概観図である。
【図１５】  測定に用いた床支持具を示す図である。
【図１６】  測定に用いた床支持具を示す図である。
【図１７】  測定に用いたシステムネダを示す図である。
【図１８】  測定に用いた床支持具を示す図である。
【図１９】  床衝撃音測定結果を示す表である。
【図２０】  床衝撃音測定結果の一例を示すグラフである。
【図２１】  従来の壁スラブで区画された部屋における床構造の一例を示す床構造の側面図である。
【図２２】  従来の壁スラブで区画された部屋における床構造の一例を示す床構造の平面図である。
【図２３】  従来の間仕切りで区画された部屋における床構造の一例を示す床構造の側面図である。
【符号の説明】
１  壁スラブ、８  システムネダ（床支持装置）、８ａ  根太材（長尺支持部材）、９，１７  クッション部材、１１  床支持具、１５Ａ  床材、Ｃ  部屋の隅部、１５Ｅ  部屋の隅部側の床材における区画部位と対向する端部。
【図１】
0003790790.tif 000002
【図２】
0003790790.tif 000003
【図３】
0003790790.tif 000004
【図４】
0003790790.tif 000005
【図５】
0003790790.tif 000006
【図６】
0003790790.tif 000007
【図７】
0003790790.tif 000008
【図８】
0003790790.tif 000009
【図９】
0003790790.tif 000010
【図１０】
0003790790.tif 000011
【図１１】
0003790790.tif 000012
【図１２】
0003790790.tif 000013
【図１３】
0003790790.tif 000014
【図１４】
0003790790.tif 000015
【図１５】
0003790790.tif 000016
【図１６】
0003790790.tif 000017
【図１７】
0003790790.tif 000018
【図１８】
0003790790.tif 000019
【図１９】
0003790790.tif 000020
【図２０】
0003790790.tif 000021
【図２１】
0003790790.tif 000022
【図２２】
0003790790.tif 000023
【図２３】
0003790790.tif 000024